(57)【要約】【目的】ホースの折り曲げによる通気の阻害およびそれに委起因する血圧測定の中止や皮膚のむれを防止する血圧測定用圧迫帯を提供する。【構成】圧迫帯１０に接続された弾性材料製のホース６０は、その肉厚が、１周方向において周期的に変化し且つ軸心に対する対称位置において増減が相反するように構成されているので、軸心に対する対称位置において増減が一致するように肉厚が形成されているホースに比較して、血圧測定のための取扱中においてホースが折れ曲げられ難くなる。また、たとえホース６０が折れ曲げられたとしても、圧力気体の流通断面が確保される。このため、そのホースの折り曲げに起因する血圧測定の中止や皮膚のむれが好適に防止される。【選択図】                図５
2004223102.tif 000002
【特許請求の範囲】
【請求項１】
膨張可能な膨張袋を有し、血圧測定に際して生体の一部を圧迫するためにその生体の一部に巻回される血圧測定用圧迫帯に接続される血圧測定用圧迫帯のホースであって、
弾性材料から管状に構成され、１周方向において周期的に変化し且つ軸心に対する対称位置において増減が相反する肉厚を備えていることを特徴とする血圧測定用圧迫帯のホース。
【請求項２】
前記ホースの肉厚は、該ホースの断面において、奇数の直線部と該直線部を接続する円弧部とからなる穴形状と、該穴と同心を成す円形の外周形状との間に形成されるものである請求項１の血圧測定用圧迫帯のホース。
【請求項３】
前記ホースの穴形状は、３つの直線部と該直線部を接続する３つの円弧部とから成る略三角形状である請求項１または２の血圧測定用圧迫帯のホース。
【請求項４】
前記ホースは、該ホースの前記膨張袋とは反対側の端部に、コネクタのニップルが嵌め入れられることによりそのコネクタが接続されたものである請求項１乃至３のいずれかの血圧測定用圧迫帯のホース。
【発明の詳細な説明】
【０００１】
【産業上の利用分野】
本発明は、血圧測定に際して生体の一部を圧迫するために円筒状に巻回される血圧測定用圧迫帯に接続されるホースに関するものである。
【０００２】
【従来の技術】
膨張可能な膨張袋を備え、血圧測定に際して生体の一部を圧迫するためにその生体の一部の外周において円筒状に巻回される血圧測定用圧迫帯が知られている。このような圧迫帯では、たとえば２つ折りに構成されたナイロン樹脂布製の帯状基体内にホースに接続された膨張袋が収容されることにより構成されるか、或いは２つ折りに構成されたビニール樹脂シート製の帯状基体内の一部に高周波溶着によって気密な膨張袋が一体的に設けられることにより構成される。たとえば特許文献１に記載された圧迫帯がそれである。そして、上記血圧測定用圧迫帯の膨張袋は、たとえば生体の上腕に巻回された状態でそれに接続されたホースを通して圧力気体が供給されることにより膨張させられるのであるが、そのホースは、合成ゴム或いは天然ゴムなどの弾性変形可能な弾性材料から管状に構成され、たとえば膨張袋の圧迫帯の下縁側位置すなわち末梢側側縁位置において幅方向の延長線に沿った姿勢で接続される。
【０００３】
【特許文献１】特開平０７−０２４３０３号公報
【０００４】
【発明が解決しようとする課題】
ところで、たとえば病院の外来や病棟において患者の血圧を測定する際には、血圧測定装置にホースを介して接続された血圧測定用圧迫帯を患者に巻回し、その圧迫帯の膨張袋を膨張させることによって血圧測定が行われるのであるが、上記ホースは、生体の皮膚に触れることも考慮して比較的ゴム硬度の低い軟質材料が選択されることもあって、測定作業中に折れ曲がり易いという問題があった。たとえば図７に示すように、肘関節の内側において、上腕９６に巻回された圧迫帯８０の幅方向に向かうホース９４が前腕９８の内側面に当接して折り曲げられることがあり、このような場合にはホース９４内の気体流通が妨げられることから、圧力気体を血圧測定装置から供給させるときに急激な圧力上昇が発生してエラー判定が行われ、血圧測定が自動的に停止させられてしまう可能性があった。また、生体の一部を圧迫帯による圧迫から解放する非測定期間においても膨張袋の容積が十分に小さくならないため、圧迫帯の内周面と生体の皮膚との間が比較的密着して、圧迫帯を装着したまま長期間に亘って血圧測定を行う場合には、皮膚がふやけたり悪臭が発生したりする不快なむれが生じる場合があった。特に、自分自身でむれの原因を排除できないような寝たきりの患者においてそのような不都合が顕著である。
【０００５】
本発明は以上の事情を背景として為されたものであって、その目的とするところは、ホースの折り曲がりに起因する血圧測定の中止や皮膚のむれなどを防止することができる血圧測定用圧迫帯のホースを提供することにある。
【０００６】
【課題を解決するための手段】
上記目的を達成するための本発明の要旨とするところは、膨張可能な膨張袋を有し、血圧測定に際して生体の一部を圧迫するためにその生体の一部に巻回される血圧測定用圧迫帯に接続される血圧測定用圧迫帯のホースであって、弾性材料から管状に構成され、１周方向において周期的に変化し且つ軸心に対する対称位置において増減が相反する肉厚を備えていることにある。
【０００７】
【発明の効果】
このようにすれば、弾性材料から管状に構成されたホースであって、その肉厚が、１周方向において周期的に変化し且つ軸心に対する対称位置において増減が相反するように構成されているので、軸心に対する対称位置において増減が一致するように肉厚が形成されているホースに比較して、血圧測定のための取扱中においてホースが折れ曲げられ難くなる。また、たとえホースが折れ曲げられたとしても、圧力気体の流通断面が確保される。このため、そのホースの折り曲げに起因する血圧測定の中止や皮膚のむれが好適に防止される。
【０００８】
【発明の他の態様】
ここで、好適には、前記ホースの肉厚は、そのホースの断面において、奇数の直線部と該直線部を接続する円弧部とからなる穴形状と、その穴と同心を成す円形の外周形状との間に形成されるものである。このようにすれば、ホースの肉厚が、１周方向において周期的に変化し且つ軸心に対する対称位置において増減が相反するように構成されるので、血圧測定のための取扱中においてホースが折れ曲げられ難くなり、また、たとえホースが折れ曲げられたとしても、圧力気体の流通断面が確保される。
【０００９】
また、好適には、前記ホースの穴形状は、３つの直線部と該直線部を接続する３つの円弧部とから成る略三角形状である。このようにすれば、ホースの肉厚が、１周方向において周期的に変化し且つ軸心に対する対称位置において増減が相反するように構成されるので、血圧測定のための取扱中においてホースが折れ曲げられ難くなり、また、たとえホースが折れ曲げられたとしても、圧力気体の流通断面が確保される。
【００１０】
また、好適には、前記ホースは、そのホースの前記膨張袋とは反対側の端部に、コネクタのニップルが嵌め入れられることによりそのコネクタが接続されたものである。この場合、前述のようにホースの穴形状が略三角形などの角形の形状であると、従来用いられているコネクタをそのまま接続できる利点がある。
【００１１】
【発明の好適な実施の形態】
以下、本発明の一実施例を図面に基づいて詳細に説明する。
【００１２】
図１は、本発明の一実施例のホース６０を介して圧迫帯１０を備えた血圧測定装置１２の構成を示している。図において、圧迫帯１０の膨張袋１４には、圧力センサ１６および排気制御弁１８が接続されているとともに、切換弁２０を介して空気ポンプ２２が接続されている。上記圧力センサ１６は、膨張袋１４内の圧力を検出し、その圧力を表す圧力信号ＳＰを出力する。上記排気制御弁１８は、圧迫圧制御手段として機能するものであって、その流通断面積を制御することにより膨張袋１４内の空気を徐速排気或いは急速排気させるものである。上記切換弁２０は、袋部収縮手段として機能するために圧迫側位置と吸引側位置とに切り換えられる電磁式切換弁であって、その圧迫側位置では圧迫帯１０の膨張袋１４を空気ポンプ２２の吐出口に連通させ且つ空気ポンプ２２の吸入口を大気に連通させるが、吸引側位置では圧迫帯１０の膨張袋１４を空気ポンプ２２の吸入口に連通させ且つ空気ポンプ２２の吐出口を大気に連通させる。
【００１３】
ローパスフィルタ２４は、圧力センサ１６から出力される圧力信号ＳＰのうち、圧迫帯１０の圧迫圧を表すカフ圧信号ＳＫを弁別して出力し、Ａ／Ｄ変換器２６を介してＣＰＵ３０へ供給する。また、バンドパスフィルタ２８は、圧力センサ１６から出力される圧力信号ＳＰのうち、心拍に同期して発生する圧力振動である脈波信号ＳＭを弁別して出力し、Ａ／Ｄ変換器２６を介してＣＰＵ３０へ供給する。
【００１４】
上記ＣＰＵ３０は、ＲＯＭ３２、ＲＡＭ３４、インターフェース３６などと共にマイクロコンピュータ、すなわち血圧値決定手段として機能する演算制御回路３７を構成するものであって、ＲＡＭ３４の記憶機能を利用しつつ予めＲＯＭ３２に記憶されたプログラムに従って入力信号を処理し、表示器３８に血圧値を表示させるとともに、前記排気制御弁１８、切換弁２０、および空気ポンプ２２を制御する。上記ＣＰＵ３０には、起動押釦スイッチ４０からの起動信号ＭＳ、停止押釦スイッチ４２からの停止信号ＭＴ、起動信号発生器４４からの起動信号ＣＳが供給されるようになっており、起動押釦スイッチ４０および起動信号発生器４４は、マニアル／オート切換スイッチ４６によって択一的に有効化されるようになっている。起動信号発生器４４は、たとえばよく知られたフリップフロップ回路などを備えており、図示しない設定器によって数分乃至数十分程度の予め設定された周期にしたがって起動信号ＣＳを繰り返し発生するように構成されている。
【００１５】
上記ＣＰＵ３０は、上記起動信号ＣＳが供給されると、圧迫帯１０の圧迫圧力を予め最高血圧値よりも高く設定された昇圧目標値まで急速に昇圧させ、その後徐速降圧させる過程で得られる脈波振幅の変化に基づいてオシロメトリック法により血圧値を決定する。また、ＣＰＵ３０は、血圧測定開始時における圧迫帯１０への圧力気体の供給に際して、その圧迫帯１０の圧力として検出される圧力上昇速度が予め設定されたエラー判定値よりも大きい場合、すなわち上記急速昇圧の速度よりも大きい場合には、異常であると判定して血圧測定を中止させる。
【００１６】
図２は圧迫帯１０を平面に展開した状態における外周面を示す図、図３は圧迫帯１０を平面に展開した状態における内周面を示す図である。それら図２乃至図３に示すように、本実施例の圧迫帯１０は、合成繊維で編まれた織布、合成樹脂シートたとえば軟質塩化ビニルシート、ナイロンシートなどの可撓性を備えた帯状の外周側シート部材５０に、同様の形状の内周側シート部材５２がそれらの外周縁部において縫製、接着剤、或いは高周波溶着などの手法によって接合されることにより長手状且つ袋状に構成されている。上記外周側シート部材５０および内周側シート部材５２が袋状の帯状基材を構成している。
【００１７】
上記圧迫帯１０の長手方向の一端部内には、その圧迫帯１０の略半分の長さの矩形状の膨張袋１４が設けられている。また、圧迫帯１０の外周面の膨張袋１４側の端部と、圧迫帯１０の内周面の膨張袋１４とは反対側の端部とには、表面に植設された多数のループ状繊維とそれに係合するように表面に植設された弾性変形可能な合成樹脂製の多数の鉤状突起との係合によって着脱可能に接着する形式の一対のファスナ５４および５６がそれぞれ固設されている。これら一対のファスナ５４および５６が相互に接着されることにより、生体の上腕において、膨張袋１４側の端部の外側にその膨張袋１４とは反対側の端部が重ねられるように圧迫帯１０が円筒状に巻回される。
【００１８】
上記膨張袋１４は、塩化ビニールシート、天然或いは合成のゴムシートなどの比較的軟質の可撓性部材或いは弾性部材により気密に構成されており、その膨張袋１４内にポンプ２２からの圧力気体を供給する、可撓性のホース６０が、その膨張袋１４の幅方向の側縁に接続されている。このホース６０は、天然ゴム、合成ゴムなどの弾性材料から構成された弾性管であって、生体の皮膚との接触を考慮して比較的ゴム硬度の低い材質が選択されている。このホース６０は、コネクタ６２を介して血圧測定装置１２と接続されている。通常、上記圧迫帯１０とコネクタ６２との間のホース６０の長さＡはたとえば３０乃至４０ｃｍ程度の長さであり、コネクタ６２と血圧測定装置１２との間のホース６０の長さＢはたとえば３ｍ程度である。
【００１９】
図４に示すように、ホース６０の膨張袋１４とは反対側の一端部内に、コネクタ６２から一体的に突設された筒状のニップル６４が圧入によって嵌め入れられることにより、ホース６０とコネクタ６２とが気密な状態で相互に連結されている。このニップル６４を備えたコネクタ６２は、金属製或いは比較的硬質の合成樹脂製である。このホース６０の穴形状は後述のように比較的ニップル６４の外周面に対して密着が用意な形状であるため、何らの加工を要せずして、切断するだけで、コネクタ６２が容易に接続される。
【００２０】
図５は、上記ホース６０の断面形状を示している。このホース６０は、３以上の奇数本（本実施例では３本）の直線部６０ａとそれら直線部６０ａのうちの相互に隣接する一対の端部をそれぞれ滑らかに接続する直線部６０ａと同数の円弧部６０ｂとからなる形状を有する３以上の奇数角形状本実施例では略三角形状の穴６０ｈと、その穴６０ｈよりも大径であってその穴６０ｈと同心を成す円形の外周面６０ｓとを備えるように成形されている。これにより、ホース６０の穴６０ｈと外周面６０ｓとの間に形成される肉厚は、１周方向において周期的に変化し且つ軸心に対する対称位置において増減が相反する肉厚とされている。たとえば、図５において、軸心Ｃを通過する直線Ｌの軸心Ｃを中心とする一方向たとえば矢印方向の回転中にその直線Ｌ上の肉厚を考えるとき、その肉厚は周期的に滑らかに変化するとともに、軸心Ｃに対して反対側の直線Ｌ上の肉厚は、一方が増加するときに他方が減少させられ、他方が増加するときに一方が減少させられる。
【００２１】
上述のように、本実施例の圧迫帯１０に接続された弾性材料製のホース６０は、その肉厚が、１周方向において周期的に変化し且つ軸心に対する対称位置において増減が相反するように構成されているので、軸心に対する対称位置において増減が一致するように肉厚が形成されているホースに比較して、血圧測定のための取扱中においてホースが折れ曲げられ難くなる。また、たとえホース６０が折れ曲げられたとしても、圧力気体の流通断面が確保される。このため、そのホースの折り曲げに起因する血圧測定の中止や皮膚のむれが好適に防止される。
【００２２】
また、本実施例によれば、上記ホース６０の肉厚は、そのホースの断面において、奇数の直線部６０ａとその直線部６０ａを接続する円弧部６０ｂとからなる形状たとえば３つの直線部６０ａとその直線部６０ａを接続する３つの円弧部６０ｂとから成る略三角形状を有する穴６０ｈと、その穴６０ｈと同心を成す円形の外周面６０ｓとの間に形成されるものであることから、そのホース６０の肉厚が、１周方向において周期的に変化し且つ軸心に対する対称位置において増減が相反するように構成されることになるので、血圧測定のための取扱中においてホースが折れ曲げられ難くなり、また、たとえホースが折れ曲げられたとしても、圧力気体の流通断面が確保される。
【００２３】
また、本実施例によれば、ホース６０は、そのホース６０の前記膨張袋１４とは反対側の端部に、コネクタ６２のニップル６４が嵌め入れられることによりそのコネクタ６２が接続されたものであることから、ホース６０の端部を切断するだけの何らの加工無しで、従来用いられているコネクタ６２をそのまま接続できる利点がある。
【００２４】
次に、本発明の他の実施例を説明する。なお、以下の説明において前述の実施例と共通する部分には同一の符号を付して説明を省略する。
【００２５】
図６は、本発明の他の実施例におけるホース６８の断面形状を示している。このホース６８は、３以上の奇数本（本実施例では５本）の直線部６８ａとそれら直線部６８ａのうちの相互に隣接する一対の端部をそれぞれ滑らかに接続する直線部６８ａと同数の円弧部６８ｂとからなる形状を有する略五角形状の穴６８ｈと、その穴６８ｈよりも大径であってその穴６０ｈと同心を成す円形の外周面６０ｓとを備えるように成形されている。これにより、ホース６８の穴６８ｈと外周面６８ｓとの間に形成される肉厚は、１周方向において周期的に変化し且つ軸心に対する対称位置において増減が相反する肉厚とされている。たとえば、図６において、軸心Ｃを通過する直線Ｌの軸心Ｃを中心とする一方向たとえば矢印方向の回転中にその直線Ｌ上の肉厚を考えるとき、その肉厚は周期的に滑らかに変化するとともに、軸心Ｃに対して反対側の直線Ｌ上の肉厚は、一方が増加するときに他方が減少させられ、他方が増加するときに一方が減少させられる。
【００２６】
以上、本発明の一実施例を図面に基づいて説明したが、本発明はその他の態様においても適用される。
【００２７】
たとえば、前述の実施例において、ホース６０、６８の直線部６０ａ、６８ａは、その内周側或いは外周側にわずかに湾曲していてもよい。また、ホース６０、６８の円弧部６０ｂ、６８ｂは、同じ曲率でなくてもよく、その曲率が変化する曲線（円弧）であってもよい。
【００２８】
また、前述の実施例において、ホース６０、６８の穴６０ｈ、６８ｈの三角形状や五角形状は、その全長にわたって形成されていなくてもよく、そのホース６０、６８の長手方向の一部、たとえば折れ曲がりが発生し易い部位のみに形成されていても、一応の効果が得られるのである。
【００２９】
また、前述の実施例において、ホース６０は膨張袋の側端縁に接続されていたが、その幅方向の中間部に接続される形式のものであっても差し支えない。幅方向の中間部に接続される形式の圧迫帯１０であってもホース６０の折れ曲がりが発生する場合には効果があるからである。
【００３０】
また、前述の実施例の圧迫帯１０は、袋状の帯状基材とその中に収容された膨張袋１４とから構成されていたが、通気性のないシート材から袋状の帯状基材が構成され、その帯状基材の一部にそれ自体によって膨張袋が構成される形式のものであってもよい。
【００３１】
また、前述の実施例の圧迫帯１０は、直線的に伸びる長手状であったが、上腕部、大腿部、足首などに装着されるために、必要に応じて、全体として湾曲した長手状とされたものであっても差し支えない。
【００３２】
その他、一々列挙はしないが、本発明はその趣旨を逸脱しない範囲において種々変更が加えられ得るものである。
【図面の簡単な説明】
【図１】本発明の一例のホースを介して圧迫帯が接続された血圧測定装置の構成を説明するブロック線図である。
【図２】図１の圧迫帯を平面に展開した状態における外周面を示す図である。
【図３】図１の圧迫帯を平面に展開した状態における内周面を示す図である。
【図４】図２および図３に示す圧迫帯に接続されたホースの端部にコネクタのニップルが圧入された状態を示す一部を切り欠いた図である。
【図５】図１のホースの断面形状を拡大して示す図である。
【図６】本発明の他の実施例におけるホースの断面形状を拡大して示す図であって、図５に相当する図である。
【図７】従来のホースが接続された圧迫帯の装着状態を説明する図である。
【符号の説明】
１０：圧迫帯
１４：膨張袋
６０、６８：ホース
６０ａ、６８ａ：直線部
６０ｂ、６８ｂ：円弧部
６０ｈ、６８ｈ：穴
６０ｓ、６８ｓ：外周面
６２：コネクタ
６４：ニップル
【図１】
2004223102.tif 000003
【図２】
2004223102.tif 000004
【図３】
2004223102.tif 000005
【図４】
2004223102.tif 000006
【図５】
2004223102.tif 000007
【図６】
2004223102.tif 000008
【図７】
2004223102.tif 000009